【手続補正書】
【提出日】平成19年2月27日(2007.2.27)
【手続補正１】
【補正対象書類名】特許請求の範囲
【補正対象項目名】全文
【補正方法】変更
【補正の内容】
【特許請求の範囲】
【請求項１】
ローカルネットワークに接続されるクライアント機器であって、
ローカルネットワークに接続されたとき、当該機器が接続されたことを示す接続通知を送信する接続通知送信部と、
前記接続通知送信部が接続通知を送信したときから、所定時間をカウントするタイマー制御部と、
前記ローカルネットワークに接続されたサーバ機器から送信された情報を受信する情報受信部と、
前記情報受信部が受信した情報が、前記接続通知に対する応答であるか否か判定する応答判定部と、
前記タイマー制御部によるタイマーカウント中に、前記応答判定部により、前記情報受信部が受信した情報が前記接続通知に対する応答であると判定されなかったとき、ローカルネットワーク内にサーバがないと判定するサーバ認識部と、
外部ネットワーク上のサーバを識別するための情報を記憶する外部サーバ識別情報記憶部と、
前記応答判定部により、前記情報受信部が受信した情報が前記接続通知に対する応答である判定されたとき、前記受信した情報の送信元であるサーバに接続するよう制御を行い、前記サーバ認識部において、ローカルネットワーク内にサーバがないと判定されたとき、前記外部サーバ識別情報記憶部に記憶された外部ネットワーク上のサーバを識別するための情報に基づき、前記外部ネットワーク上のサーバに接続するよう制御を行う接続管理部を
有することを特徴とするクライアント機器。
【請求項２】
請求項１に記載のクライアント機器において、
ローカルネットワーク内のサーバへの接続状況を示す情報を記憶する第１の記憶部と、
外部ネットワーク上のサーバへの接続状況を示す情報を記憶する第２の記憶部を、
さらに有し、
前記接続管理部は、第１の記憶部および／あるいは第２の記憶部に記憶された接続状況を示す情報に基づいて、ローカルネットワーク内のサーバあるいは外部ネットワーク上のサーバに接続するよう制御を行う、
ことを特徴とするクライアント機器。
【請求項３】
請求項２に記載のクライアント機器において、
前記接続管理部は、ローカルネットワーク内のサーバに接続するとき、第２の記憶部に記憶された外部ネットワーク上のサーバへの接続状況を示す情報に基づいて、既に前記外部ネットワーク上のサーバに接続しているか否か判断し、既に前記外部ネットワーク上のサーバに接続していると判断したとき、前記外部ネットワーク上のサーバとの接続を切断し、前記ローカルネットワーク内のサーバに接続するよう制御する、
ことを特徴とするクライアント機器。
【請求項４】
請求項２に記載のクライアント機器において、
前記接続管理部は、外部ネットワーク上のサーバに接続するとき、第１の記憶部に記憶されたローカルネットワーク内のサーバへの接続状況を示す情報に基づいて、既に前記ローカルネットワーク内のサーバに接続しているか否か判断し、既に前記ローカルネットワーク内のサーバに接続していると判断したとき、前記外部ネットワーク上のサーバへの接続を行わないよう制御する、
ことを特徴とするクライアント機器。
【請求項５】
ローカルネットワークに接続されたクライアント機器であって、
ローカルネットワークに接続されたサーバあるいは他のクライアント機器から送信された情報を受信する情報受信部と、
前記情報受信部が受信した情報が、前記ローカルネットワークに接続されたサーバから送信された情報であるか否かを判定するサーバ送信情報判定部と、
前記サーバ送信情報判定部により、前記情報受信部が受信した情報が前記ローカルネットワークに接続されたサーバから送信された情報であると判定されたとき、前記ローカルネットワークに接続されたサーバに接続するよう制御を行う接続管理部を
有することを特徴とするクライアント機器。
【請求項６】
請求項５に記載のクライアント機器において、
前記接続管理部は、ローカルネットワーク内のサーバに接続するとき、既に前記外部ネットワーク上のサーバに接続しているか否か判断し、既に前記外部ネットワーク上のサーバに接続していると判断したとき、前記外部ネットワーク上のサーバとの接続を切断し、前記ローカルネットワーク内のサーバに接続するよう制御する、
ことを特徴とするクライアント機器。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
請求項１の発明は、ローカルネットワークに接続されるクライアント機器であって、ローカルネットワークに接続されたとき、当該機器が接続されたことを示す接続通知を送信する接続通知送信部と、前記接続通知送信部が接続通知を送信したときから、所定時間をカウントするタイマー制御部と、前記ローカルネットワークに接続されたサーバ機器から送信された情報を受信する情報受信部と、前記情報受信部が受信した情報が、前記接続通知に対する応答であるか否か判定する応答判定部と、前記タイマー制御部によるタイマーカウント中に、前記応答判定部により、前記情報受信部が受信した情報が前記接続通知に対する応答であると判定されなかったとき、ローカルネットワーク内にサーバがないと判定するサーバ認識部と、外部ネットワーク上のサーバを識別するための情報を記憶する外部サーバ識別情報記憶部と、前記応答判定部により、前記情報受信部が受信した情報が前記接続通知に対する応答である判定されたとき、前記受信した情報の送信元であるサーバに接続するよう制御を行い、前記サーバ認識部において、ローカルネットワーク内にサーバがないと判定されたとき、前記外部サーバ識別情報記憶部に記憶された外部ネットワーク上のサーバを識別するための情報に基づき、前記外部ネットワーク上のサーバに接続するよう制御を行う接続管理部を有することを特徴とする。
【手続補正６】
【補正対象書類名】明細書
【補正対象項目名】００１５
【補正方法】変更
【補正の内容】
【００１５】
請求項２の発明は、請求項１に記載のクライアント機器において、ローカルネットワーク内のサーバへの接続状況を示す情報を記憶する第１の記憶部と、外部ネットワーク上のサーバへの接続状況を示す情報を記憶する第２の記憶部をさらに有し、前記接続管理部は、第１の記憶部および／あるいは第２の記憶部に記憶された接続状況を示す情報に基づいて、ローカルネットワーク内のサーバあるいは外部ネットワーク上のサーバに接続するよう制御を行うことを特徴とする。
【手続補正７】
【補正対象書類名】明細書
【補正対象項目名】００１６
【補正方法】変更
【補正の内容】
【００１６】
請求項３の発明は、請求項２に記載のクライアント機器において、前記接続管理部は、ローカルネットワーク内のサーバに接続するとき、第２の記憶部に記憶された外部ネットワーク上のサーバへの接続状況を示す情報に基づいて、既に前記外部ネットワーク上のサーバに接続しているか否か判断し、既に前記外部ネットワーク上のサーバに接続していると判断したとき、前記外部ネットワーク上のサーバとの接続を切断し、前記ローカルネットワーク内のサーバに接続するよう制御することを特徴とする。
【手続補正８】
【補正対象書類名】明細書
【補正対象項目名】００１７
【補正方法】変更
【補正の内容】
【００１７】
請求項４の発明は、請求項２に記載のクライアント機器において、前記接続管理部は、外部ネットワーク上のサーバに接続するとき、第１の記憶部に記憶されたローカルネットワーク内のサーバへの接続状況を示す情報に基づいて、既に前記ローカルネットワーク内のサーバに接続しているか否か判断し、既に前記ローカルネットワーク内のサーバに接続していると判断したとき、前記外部ネットワーク上のサーバへの接続を行わないよう制御することを特徴とする。
【手続補正９】
【補正対象書類名】明細書
【補正対象項目名】００１８
【補正方法】変更
【補正の内容】
【００１８】
請求項５の発明は、ローカルネットワークに接続されたクライアント機器であって、ローカルネットワークに接続されたサーバあるいは他のクライアント機器から送信された情報を受信する情報受信部と、前記情報受信部が受信した情報が、前記ローカルネットワークに接続されたサーバから送信された情報であるか否かを判定するサーバ送信情報判定部と、前記サーバ送信情報判定部により、前記情報受信部が受信した情報が前記ローカルネットワークに接続されたサーバから送信された情報であると判定されたとき、前記ローカルネットワークに接続されたサーバに接続するよう制御を行う接続管理部を有することを特徴とする。
【手続補正１０】
【補正対象書類名】明細書
【補正対象項目名】００１９
【補正方法】変更
【補正の内容】
【００１９】
請求項６の発明は、請求項５に記載のクライアント機器において、前記接続管理部は、ローカルネットワーク内のサーバに接続するとき、既に前記外部ネットワーク上のサーバに接続しているか否か判断し、既に前記外部ネットワーク上のサーバに接続していると判断したとき、前記外部ネットワーク上のサーバとの接続を切断し、前記ローカルネットワーク内のサーバに接続するよう制御することを特徴とする。
【手続補正１１】
【補正対象書類名】明細書
【補正対象項目名】００８１
【補正方法】変更
【補正の内容】
【００８１】
UDP マルチキャスト受信部１０５あるいはUDP ユニキャスト受信部１０６がサブスクライブ文書を受信すると（ｓ６０８Ｙ）、接続管理部１１０が宅内のホームサーバ２０への接続を行うよう接続管理を行い、宅内用TCP クライアント１１４が宅内のホームサーバ２０へ接続を行い（ｓ６１０）、接続処理を終了する。
【手続補正１２】
【補正対象書類名】明細書
【補正対象項目名】００８２
【補正方法】変更
【補正の内容】
【００８２】
一方、ｓ６０８において、UDP マルチキャスト受信部１０５あるいはUDP ユニキャスト受信部１０６においてサブスクライブ文書を受信することなく、タイマーセットされた一定時間が経過すると（ｓ６０８Ｎ）、タイマーハンドラ部１０８は、接続管理部１１０に宅外サーバ３０への接続を要求する。
【手続補正１３】
【補正対象書類名】明細書
【補正対象項目名】００８３
【補正方法】変更
【補正の内容】
【００８３】
接続管理部１１０が宅外のサーバ３０への接続を行うよう接続管理を行い、宅外用TCP クライアント１１５が宅外サーバ３０へ接続を行い（ｓ６１２）、接続処理を終了する。